(57)【要約】【課題】  正しい立ち姿勢を習慣づけることのできるインソールを提供する。【解決手段】  インソール１は、足裏が接触する接触面２と、接触面２から突出し、足の親指４が載置される一対の線状突起３と、を備えている。一対の線状突起３間の幅は、足の親指４の骨のＭＰ関節５の幅及びＩＰ関節６の幅の少なくとも一方より広く、ＭＰ関節５を包む肉５１又はＩＰ関節６を包む肉６１のうち、一対の線状突起間３に位置する肉の少なくとも一部が接触面２に接触した状態で、一対の線状突起３の先端に、ＭＰ関節５を包む肉５１又はＩＰ関節６を包む肉６１が載置される。【選択図】図２
2018161196.tif 000002
【特許請求の範囲】
【請求項１】
足裏が接触する接触面と、
前記接触面から突出し、前記足の親指が載置される一対の線状突起と、
を備え、
前記一対の線状突起間の幅は、前記足の親指の骨のＭＰ関節の幅及びＩＰ関節の幅の少なくとも一方より広く、
前記ＭＰ関節を包む肉又は前記ＩＰ関節を包む肉のうち、前記一対の線状突起間に位置する肉の少なくとも一部が前記接触面に接触した状態で、前記一対の線状突起の先端に、前記ＭＰ関節を包む肉又は前記ＩＰ関節を包む肉が載置されることを特徴とするインソール。
【請求項２】
足裏が接触する接触面と、
前記接触面から突出し、前記足の親指が載置される一対の線状突起と、
を備え、
前記一対の線状突起間の幅は、前記足の親指の骨のＭＰ関節の幅及びＩＰ関節の幅の少なくとも一方より広く、
前記ＭＰ関節を包む肉又は前記ＩＰ関節を包む肉のうち、前記一対の線状突起間に位置する肉の少なくとも一部が前記接触面に接触した状態で、前記一対の線状突起の先端に、前記ＭＰ関節を包む肉又は前記ＩＰ関節を包む肉が載置されることを特徴とする靴。
【請求項３】
足裏が接触する接触面と、
前記接触面から突出し、前記足の親指が載置される一対の線状突起と、
を備え、
前記一対の線状突起間の幅は、前記足の親指の骨のＭＰ関節の幅及びＩＰ関節の幅の少なくとも一方より広く、
前記一対の線状突起は、前記接触面から突出した複数の突起によって形成されており、
各突起は、高さ調節可能であることを特徴とするインソール。
【請求項４】
足裏が接触する接触面と、
前記接触面から突出し、前記足の親指が載置される一対の線状突起と、
を備え、
前記一対の線状突起間の幅は、前記足の親指の骨のＭＰ関節の幅及びＩＰ関節の幅の少なくとも一方より広く、
前記一対の線状突起は、前記接触面から突出した複数の突起によって形成されており、
各突起は、高さ調節可能であることを特徴とする靴。
【発明の詳細な説明】
【技術分野】
【０００１】
本発明は、正しい立ち姿勢を習慣づけることのできるインソール又は靴に関する。
【背景技術】
【０００２】
従来より、Ｏ脚や変形性膝関節症の治療・矯正を目的として、拇指球を受け止める位置に凹部を設け、重心が外側（小指側）に移動することを防止するインソールが知られている（例えば、特許文献１参照）。
【先行技術文献】
【特許文献】
【０００３】
【特許文献１】特開２０１０−１１５２９１号公報
【発明の概要】
【発明が解決しようとする課題】
【０００４】
しかしながら、上記技術では、重心が外側（小指側）に移動することをインソールにより強制的に防止しているだけなので、インソールを取り外すと、元の姿勢に戻ってしまう。
【０００５】
そこで、本発明は、正しい立ち姿勢を習慣づけることのできるインソール又は靴を提供することを目的としている。
【課題を解決するための手段】
【０００６】
本発明は、足裏が接触する接触面と、前記接触面から突出し、前記足の親指が載置される一対の線状突起と、を備え、前記一対の線状突起間の幅は、前記足の親指の骨のＭＰ関節の幅及びＩＰ関節の幅の少なくとも一方より広く、前記一対の線状突起間に位置する肉の少なくとも一部が前記接触面に接触した状態で、前記一対の線状突起の先端に、前記ＭＰ関節を包む肉又は前記ＩＰ関節を包む肉が載置されることを特徴とするインソールを提供している。
【０００７】
このような構成によれば、一対の線状突起により、歩行の際に接触面と主に接触するＭＰ関節（ＩＰ関節）を包む肉に痛みを生じさせない程度の刺激を与えることができるので、ユーザに足の親指に意識を向けさせることが可能となる。これにより、足の重心が自然と親指側に移るので、膝関節や骨盤が正常な位置になり、正しい立ち姿勢を習慣づけられる。そのため、本発明のインソールは、膝痛や変形性膝関節症の治療・矯正に効果的である。
【０００８】
また、本発明の別の観点によれば、足裏が接触する接触面と、前記接触面から突出し、前記足の親指が載置される一対の線状突起と、を備え、前記一対の線状突起間の幅は、前記足の親指の骨のＭＰ関節の幅及びＩＰ関節の幅の少なくとも一方より広く、前記一対の線状突起間に位置する肉の少なくとも一部が前記接触面に接触した状態で、前記一対の線状突起の先端に、前記ＭＰ関節を包む肉又は前記ＩＰ関節を包む肉が載置されることを特徴とする靴を提供している。
【０００９】
また、本発明の別の観点によれば、足裏が接触する接触面と、前記接触面から突出し、前記足の親指が載置される一対の線状突起と、を備え、前記一対の線状突起間の幅は、前記足の親指の骨のＭＰ関節の幅及びＩＰ関節の幅の少なくとも一方より広く、前記一対の線状突起は、前記接触面から突出した複数の突起によって形成されており、各突起は、高さ調節可能であることを特徴とするインソールを提供している。
【００１０】
このような構成によれば、ユーザの好みに応じて親指に与える刺激を調整することが可能となる。
【００１１】
また、本発明の別の観点によれば、足裏が接触する接触面と、足の親指の骨を挟むように前記接触面から突出し、前記足の親指が載置される一対の線状突起と、を備え、前記一対の線状突起間の幅は、前記足の親指の骨のＭＰ関節の幅及びＩＰ関節の幅の少なくとも一方より広く、前記一対の線状突起は、前記接触面から突出した複数の突起によって形成されており、各突起は、高さ調節可能であることを特徴とする靴を提供している。
【発明の効果】
【００１２】
本発明のインソール又は靴によれば、足の重心を親指側に移動させることができるので、これにより、膝関節や骨盤が正常な位置になり、正しい立ち姿勢を習慣づけることが可能となる。
【図面の簡単な説明】
【００１３】
【図１】本発明の実施の形態によるインソールの上面図
【図２】本発明の実施の形態による一対の線状突起の幅について説明する図
【図３】本発明の実施の形態による一対の線状突起の高さについて説明する図
【図４】本発明の変形例によるインソールの側面図
【発明を実施するための形態】
【００１４】
以下、本発明の実施の形態によるインソール１について、図１−図３を参照して説明する。
【００１５】
図１に示すように、インソール１は、足裏が接触する接触面２と、一対の線状突起３と、を備えている。
【００１６】
一対の線状突起３は、足の親指４が載置されるものであり、接触面２から突出している。
【００１７】
詳細には、一対の線状突起３間の幅は、図２に示すように、足の親指４の骨のＭＰ関節（中足趾節関節）５の幅、及び、ＩＰ関節（拇指指節関節）６の幅よりも広い幅を有している。
【００１８】
また、一対の線状突起３の高さは、図３に示すように、ＭＰ関節５を包む肉５１及びＩＰ関節６を包む肉６１のうち、一対の線状突起３間に位置する肉の少なくとも一部が接触面２に接触した状態で、先端に肉５１及び６１が載置される高さに設定されている。これは、一対の線状突起３を押し広げて先端に肉５１及び６１が載置されない状態とならないような高さに設定されていることを意味する。
【００１９】
ここで、本来、人間の体は、足の重心を親指側とすることで、脚の骨の上に体がまっすぐに乗り、骨格で姿勢を維持できるため、最低限の力で立つことができる構造となっている。
【００２０】
しかしながら、加齢等により腿を引き付ける腸腰筋や内転筋の力が低下すると、足の重心が小指側に移動し、これにより、膝を外側に開く曲げモーメントが生じ、膝痛や変形性膝関節症が発症する。
【００２１】
また、膝を外側に開く曲げモーメントに対抗するために大腿内転筋で踏ん張ることで、脛骨の鵞足部（縫工筋・薄筋・半腱様筋の付着部）に炎症が生じ、膝痛や変形性膝関節症が発症する。
【００２２】
一方、本願の発明者は、足の親指４にユーザの意識を向けさせるだけで足の重心が親指側に移ること、及び、足の親指４のうち、歩行の際に接触面２と主に接触するのはＭＰ関節５及びＩＰ関節６部分であることに着眼した。
【００２３】
そこで、本実施の形態によるインソール１では、一対の線状突起３によって、ＭＰ関節５を包む肉５１及びＩＰ関節６を包む肉６１に刺激を与えることで、足の親指４に意識を向けさせる。
【００２４】
詳細には、一対の線状突起３が、親指４のＭＰ関節５及びＩＰ関節６よりも広い幅を有していることにより、ＭＰ関節５を包む肉５１及びＩＰ関節６を包む肉６１に刺激を与えることができるので、足の親指４に意識を向けさせることが可能となる。
【００２５】
一方、一対の線状突起３が高過ぎると、一対の線状突起３が親指４を完全に挟んでしまい、親指４が一対の線状突起３によって固定された状態となってしまうため、歩行に支障を生じさせる可能性がある。また、親指４全体を完全に挟んでしまうほどの高さでなくても、肉５１及び６１に強く突き刺さると、ユーザに痛みを感じさせてしまう。
【００２６】
そこで、本実施の形態では、一対の線状突起３は、一対の線状突起３を押し広げて先端に肉５１及び７１が載置されない状態とならないような高さに設定されている。また、一対の線状突起３を押し広げなかったとしても、肉５１及び肉６１全体が接触面２から離れてしまうと、やはり、ユーザに痛みを感じさせてしまうので、ＭＰ関節５を包む肉５１及びＩＰ関節６を包む肉６１のうち、一対の線状突起３間に位置する肉の少なくとも一部が接触面２に接するような高さに設定されている。
【００２７】
これにより、一対の線状突起３は、親指４を完全に挟み込む状態とはならないので、痛みを生じさせない程度の刺激を肉５１及び６１に与えられることができ、肉５１及び６１を介して、ユーザに足の親指４に意識を向けさせることが可能となる。
【００２８】
なお、ユーザが立った状態では、体重により肉５１及び６１は多少押し潰されるため、一対の線状突起３の高さは、ユーザが立った状態に基づいて設定されることが好ましい。
【００２９】
また、一対の線状突起３が配置される位置及び高さは、ユーザの足のサイズに応じて設定することが考えられる。ユーザごとにインソール１を製造する場合には、更に、親指４の位置、ＭＰ関節５（ＩＰ関節６）の位置、肉５１（６１）厚み等まで計測した上で、一対の線状突起３が配置される位置及び高さを設定することが考えられる。
【００３０】
以上説明したように、本実施の形態によるインソール１では、一対の線状突起３により、歩行の際に接触面２と主に接触するＭＰ関節５（ＩＰ関節６）を包む肉５１（肉６１）に痛みを感じさせない程度の刺激を与えることができるので、ユーザに足の親指４に意識を向けさせることが可能となる。これにより、足の重心が自然と親指４側に移るので、膝関節や骨盤が正常な位置になり、正しい立ち姿勢が習慣づけられる。そのため、本実施の形態によるインソール１は、膝痛や変形性膝関節症の治療・矯正に効果的である。
【００３１】
尚、本発明のインソールは、上述した実施の形態に限定されず、特許請求の範囲に記載した範囲で種々の変形や改良が可能である。
【００３２】
例えば、上記実施の形態では、インソールについて説明したが、本発明は、当該インソールが一体的に形成された靴に対しても適用可能である。
【００３３】
また、上記実施の形態では、一対の線状突起３の高さは予め設定されていたが、図４に示すように、一対の線状突起３を接触面２から突出した複数の突起３Ａによって形成し、当該複数の突起３Ａを削る等により高さを調節可能にしてもよい。これにより、ユーザの好みに応じて親指４に与える刺激を調整することが可能となる。なお、図４では、直線状の突起３Ａを例示しているが、山型の突起等を採用してもよい。
【００３４】
また、上記実施の形態では、一対の線状突起３は、ＭＰ関節５及びＩＰ関節６に対して共通で用いられたが、それぞれに対して個別に設けても良い。
【００３５】
また、上記実施の形態では、一対の線状突起３は、ＭＰ関節５及びＩＰ関節６の両方に対して作用したが、いずれか一方に対する作用であっても、ユーザに足の親指４に意識を向けさせることが可能である。
【００３６】
また、一対の線状突起３は、ＭＰ関節５及びＩＰ関節６以外の部分では、本発明の要件を満たしていなくても良い。
【符号の説明】
【００３７】
１          インソール
２          接触面
３          一対の線状突起
４          親指
５          ＭＰ関節
６          ＩＰ関節
５１      ＭＰ関節を包む肉
６１      ＩＰ関節を包む肉
【図１】
2018161196.tif 000003
【図２】
2018161196.tif 000004
【図３】
2018161196.tif 000005
【図４】
2018161196.tif 000006